(57)【要約】【課題】引き戸等の摺動体を閉じたときに少し跳ね返っても、自動的に閉じることができると共に閉じ姿勢を保持するキャッチとしての役目を果たすことができ、しかも、障害者でも軽く開け閉めできるようにした。【解決手段】シリンダー部２を備え且つ引き戸等の摺動体Ａに取り付けられたケーシング１と、ケーシング１のシリンダー部２に軸方向に沿ってスライド可能に収納され且つ摺動体の垂直な端面６から突出可能に形成されたピストン部材３と、このピストン部材３の先端に設けられた磁石４又は磁石吸着部材と、前記ピストン部材３を常時後退位置に弾圧するスプリング５とからなり、前記摺動体の閉じ姿勢において前記磁石４又は磁石吸着部材と吸着して摺動体の閉じ姿勢を保持する磁石吸着部材７又は磁石が固定枠Ｂに設けられている構造。【選択図】図３
2006028890.tif 000002
【特許請求の範囲】
【請求項１】
シリンダー部を備え且つ引き戸等の摺動体に取り付けられたケーシングと、ケーシングのシリンダー部に軸方向に沿ってスライド可能に収納され且つ前記摺動体の垂直な端面から突出可能に形成されたピストン部材と、このピストン部材の先端に設けられた磁石又は磁石吸着部材と、前記ピストン部材を常時後退位置に弾圧するスプリングとからなり、前記摺動体の閉じ姿勢において前記磁石又は磁石吸着部材と吸着して摺動体の閉じ姿勢を保持する磁石吸着部材又は磁石が固定枠に設けられている摺動体のキャッチ兼用跳ね返り防止装置。
【請求項２】
前記ピストン部材は、前記スプリングによって復帰する際の衝撃を緩和する緩衝部材を備えている請求項１に記載の摺動体のキャッチ兼用跳ね返り防止装置。
【請求項３】
前記ケーシングを、走行車輪を備えた引き戸用戸車と連なって一体的に形成してなる請求項１又は２に記載の摺動体のキャッチ兼用跳ね返り防止装置。
【発明の詳細な説明】
【技術分野】
【０００１】
本発明は、引き戸等の摺動体のキャッチ兼用跳ね返り防止装置に関し、殊に、引き戸が閉じられる際に反動で跳ね返って半開きの状態になるのを防止するとともに、引き戸の閉じ姿勢を保持することのできるキャッチ兼用の跳ね返り防止装置に関する。
【背景技術】
【０００２】
従来、引き戸を閉じた時の反動によって引き戸が跳ね返るのを阻止する手段として例えば特許文献１〜３に示すようなブレーキ装置がある。
【０００３】
この従来の手段は、引き戸の閉じ位置の直前で、湾曲したバネ板を引き戸とレールとの間に設置してバネ板の弾性力によって引き戸の閉鎖直前にブレーキをかけて引き戸を停止させ、且つ反動による跳ね返りを防止しようというものである。
【０００４】
また、特許文献４に示すように、引き戸と共に動く案内部が引き戸閉鎖直前に通過するストッパー即ちバネ板をレールに設けて、このバネ板でブレーキをかけて引き戸を停止させるものがある。
【特許文献１】特開平０７−２８６４７４号公報
【特許文献２】特開平０８−０９３３１８号公報
【特許文献３】特開平０９−０７８９３３号公報
【特許文献４】特開平０７−２６９２２１号公報
【発明の開示】
【発明が解決しようとする課題】
【０００５】
しかし上記した従来手段では、バネ板による制動力を強くすると引き戸を閉じるとき並びに開けるときに大きな力を必要とし、反対に引き戸を軽く開閉できるようにバネ板の制動力を小さくすると、ブレーキ効果がなくなって閉めたときの反動によって跳ね返って半開きの状態になる、といった問題点があった。また油圧機構を組み込んだ複雑なドアークローザーは各種のものがあるが、何れも大型で且つ高価であり、一般家屋内での間仕切りや家具の引き戸等には不向きであった。
【０００６】
そこで本発明は上記した従来課題を解消するために発明されたものであって、引き戸等の摺動体を閉じたときにその反動で少し跳ね返っても、自動的に閉じ姿勢に戻すことができるとともにその閉じ姿勢を保持するキャッチとしての役目を果たすことができ、しかも、引き戸の開閉時において従来のブレーキ装置のように引き戸の開閉操作を重たくするような弊害をなくして、障害者でも軽く開け閉めすることができるキャッチ兼用跳ね返り防止装置を簡潔な構造で安価に提供することを主たる目的とするものである。
【課題を解決するための手段】
【０００７】
上記目的を達成する為に本発明では次のような技術的手段を講じた。即ち、本発明に係るキャッチ兼用跳ね返り防止装置にあっては、シリンダー部２を備え且つ引き戸等の摺動体Ａに取り付けられたケーシング１と、ケーシング１のシリンダー部２に軸方向に沿ってスライド可能に収納され且つ摺動体の垂直な端面６から突出可能に形成されたピストン部材３と、このピストン部材３の先端に設けられた磁石４又は磁石吸着部材と、前記ピストン部材３を常時後退位置に弾圧するスプリング５とからなり、前記摺動体の閉じ姿勢において前記磁石４又は磁石吸着部材と吸着して摺動体の閉じ姿勢を保持する磁石吸着部材７又は磁石が固定枠Ｂに設けられている構造とした。これにより摺動体を閉じたときにその反動で開き方向に少し跳ね返っても、磁石４と磁石吸着部材７とが吸着したままピストン部材３がスプリング５を圧縮しながら前方に突出した状態で保持され、次いでスプリング５の反発力によりピストン部材３を引き込みながら摺動体が前進して閉じ姿勢に収まることができるものである。
【０００８】
本発明では、本発明のケーシング１を、走行車輪１１を備えた引き戸用戸車１２のボデイ１３と連なって一体的に形成して、引き戸Ａの端面に埋め込んで取り付けるようにすることも可能である。これにより、戸車１２を取り付けると同時に本発明のキャッチ兼用跳ね返り防止装置を引き戸Ａにセットすることができる。
【０００９】
前記ピストン部材３の後端面とシリンダー部２の内端面との間に緩衝部材１４を介在させるのが好ましい。これによりピストン部材３がスプリング５によって突出姿勢から復帰する際の衝撃や音を緩和することができる。この緩衝部材１４は柔軟で弾力性があるゴム等のクッション材や弱いスプリング等で形成することが可能である。
【発明の効果】
【００１０】
本発明のキャッチ兼用跳ね返り防止装置は、摺動体を閉じたときにその反動で開き方向に少し跳ね返っても、自動的に閉じ姿勢に戻すことができ、しかも摺動体が閉じた時にその閉じ姿勢を保持するキャッチとしての役目を果たすことができるとともに、引き戸の開閉時において従来のブレーキ装置のように引き戸の開閉操作を重たくするような弊害がなく、障害者でも軽く開け閉めすることができ、加えて構造が簡単で安価に製作できる、といった効果がある。
【実施例】
【００１１】
以下において本発明を図に示した実施例に基づき説明する。図１〜図４において、符号１はシリンダー部２を備えたケーシングであって、シリンダー部２にピストン部材３が軸方向に沿ってスライド可能に収納されている。本実施例ではケーシング１は一端が開口した筒状の形態を有し、摺動体即ち引き戸Ａの垂直な端面６に埋め込んだ状態で接着剤等により抜脱しないように固着されている。また前記ピストン部材２はその先端部が引き戸Ａの垂直な端面６から所定ストロークだけ突出できるように形成されており、スプリング５によって常時後退位置に強制されている。
【００１２】
更に、前記ピストン部材２の先端に磁石４が固着されており、この磁石４が吸着する鉄板等の磁石吸着部材７が柱等の固定枠Ｂの垂直な面に取り付けられている。前記磁石４は、ピストン部材２が最大まで後退したときに磁石先端面が引き戸Ａの端面６と略面一となるように設定されている。
【００１３】
上記の構成において、図１の引き戸Ａを開いた状態から引き戸Ａを閉じ方向即ち矢印方向に少し強く押して手を離した場合、一旦閉じた図２の姿勢から反動によって図３に示すように引き戸Ａが開き方向に少し跳ね返っても、磁石４と磁石吸着部材７とが吸着したままピストン部材３がスプリング５を圧縮しながら前方に突出した状態で保持され、次いでスプリング５の反発力によりピストン部材３を引き込みながら引き戸Ａが前進して図２の閉じ姿勢に自動的に戻ることができる。また閉じ姿勢では、磁石４と磁石吸着部材７との吸着によるキャッチ機能によって引き戸Ａの閉じ姿勢を保持することができる。また引き戸Ａを開けるときは、引き戸Ａを開き方向に引くと磁石４と磁石吸着体部材７とが強く吸着していてもスプリング５に抗して引き戸Ａが開きはじめ、引き戸の移動慣性によって軽い力で容易に磁石４を磁石吸着体部材７から離反させることができ、これによりほとんど抵抗なく容易に引き戸Ａを開けることができる。
【００１４】
前記した磁石４の強弱は、引き戸Ａの重量や摺動時の摩擦係数によって選択される。磁石４の好ましい吸着力としては、引き戸Ａが閉鎖時の反動で少し（５〜１０cm程度）跳ね返っても磁石４が磁石吸着部材７から外れない程度のものがよい。勿論、ピストン部材３のストロークも１０cm以上とするのがよい。
【００１５】
本発明では図５に示すように、筒状のケーシング１の開口端部に取付用のビス穴８を備えた円形の鍔部９を設けてもよい。この鍔部８は図６の符号９’で示すように上下に長い矩形状とすることもできる。
【００１６】
また本発明では図７に示すように、一面を平らとした取付片１０をケーシング１と一体的に形成してもよい。これによりケーシング１を引き戸に対して埋め込むことなく引き戸の側面に容易に取り付けることができる。
【００１７】
更に本発明では図８に示すように本発明のケーシング１を、走行車輪１１を備えた引き戸用戸車１２のボデイ１３と連なって一体的に形成して、引き戸Ａの端面に埋め込んで取り付けるようにすることも可能である。これにより、戸車１２を取り付けると同時に本発明のキャッチ兼用跳ね返り防止装置を引き戸Ａにセットすることができる。
【００１８】
また本発明では、図９に示すようにピストン部材３の後端面とシリンダー部２の内端面との間に、ゴムや弾力性に富んだ発泡樹脂材又は緩いスプリング等の緩衝部材１４を介在させるのが好ましい。これによりピストン部材３がスプリング５によって突出姿勢から復帰する際の衝撃や音の発生を緩和することができる。尚、図に示すように磁石４の背面にゴム等の緩衝部材１４’を設けてもよい。
【００１９】
上記した各実施例では、ピストン部材３の先端に磁石４を、固定枠Ｂに磁石吸着部材７を設けたが、これらを逆にしてもよいことは勿論である。
【産業上の利用可能性】
【００２０】
本発明の跳ね返り防止装置では、引き戸以外に例えば引き出しの背面部分に取り付けて引き出しのキャッチ兼用跳ね返り防止装置として利用することが可能である。
【図面の簡単な説明】
【００２１】
【図１】本発明に係る摺動体のキャッチ兼用跳ね返り防止装置の第１の実施例を示す断面図であって、引き戸が閉じられる直前の状態を示す。
【図２】図１の状態から引き戸が閉じ位置まで移動した状態を示す断面図。
【図３】引き戸が閉じたときの反動で少し跳ね返った状態を示す拡大断面図。
【図４】上記装置のケーシング部分の斜視図。
【図５】本発明の他の実施例を示すケーシング部分の斜視図。
【図６】本発明の更に他の実施例を示すケーシング部分の斜視図。
【図７】本発明の別の実施例を示すケーシング部分の斜視図。
【図８】本発明の更に別の実施例を示す斜視図。
【図９】本発明の更に他の実施例を示すケーシング部分の断面図。
【符号の説明】
【００２２】
１  ケーシング
２  シリンダー部
３  ピストン部材
４  磁石
５  スプリング
６  端面
７  磁石吸着体部材
１１  走行車輪
１２  戸車
１３  戸車のボデイ
１４  緩衝部材
Ａ  引き戸
Ｂ  固定枠
【図１】
2006028890.tif 000003
【図２】
2006028890.tif 000004
【図３】
2006028890.tif 000005
【図４】
2006028890.tif 000006
【図５】
2006028890.tif 000007
【図６】
2006028890.tif 000008
【図７】
2006028890.tif 000009
【図８】
2006028890.tif 000010
【図９】
2006028890.tif 000011
【手続補正書】
【提出日】平成16年10月12日(2004.10.12)
【手続補正１】
【補正対象書類名】図面
【補正対象項目名】図７
【補正方法】変更
【補正の内容】
【図７】
2006028890.tif 000012
【手続補正２】
【補正対象書類名】図面
【補正対象項目名】図９
【補正方法】変更
【補正の内容】
【図９】
2006028890.tif 000013